【事件の表示】
　平成　９年特許願第　５７２１６号「写真画像データの出力方法および装置」拒絶査定不服審判事件〔平成１０年　９月１１日出願公開、特開平１０−２３９７８０〕について、次のとおり審決する。
【結　論】
　本件審判の請求は、成り立たない。
【理　由】
１．手続の経緯
　本願は、特許法第４１条に基づく優先権主張を伴う平成９年３月１２日（優先日、平成８年１２月２４日）の出願であって、平成１７年１０月２７日付けで拒絶査定がなされ、これに対し、平成１７年１２月１日に拒絶査定に対する審判請求がなされるとともに、平成１７年１２月２７日付けで手続補正がなされたものである。
　
２．平成１７年１２月２７日付けの手続補正についての補正却下の決定
［補正却下の決定の結論］
　　平成１７年１２月２７日付けの手続補正を却下する。
［理由］
（１）補正後の本願発明
　本件補正により、特許請求の範囲の請求項６は、
　「写真画像を表す複数の写真画像データを複数種類の記録媒体から記録媒体ごとに読み取って所定の記憶媒体に保管し、
　記録媒体に記録された写真データの出力処理に関する複数の処理項目を指定する注文情報であって前記記録媒体の種類に応じた形式で入力される注文情報を、記録媒体ごとに受付けて保存し、
　前記保管された写真画像データについて前記保存されている注文情報の中で指定された出力処理に関する複数の処理項目を、該各処理項目により示された処理を行うタスクの種類によって分類するとともに、該分類の際に、前記各処理項目において指定された写真画像データを前記分類ごとに異なるバッファにそれぞれ格納し、
　前記分類ごとに決定されたタイミングで、各バッファに格納された写真画像データに対し前記各処理項目により示された処理を行うことにより注文情報を受け付けた順序とは異なる順序で写真画像データを出力することを特徴とする写真画像データの出力方法。」
と補正された。
　
（２）補正の目的の適否について
　上記補正は、平成１７年２月１４日付け手続補正書の特許請求の範囲の請求項６において、「記録媒体に記録された写真データの出力処理に関する複数の処理項目を指定する注文情報であって前記記録媒体の種類に応じた形式で入力される注文情報を、記録媒体ごとに受付けて保存し、」という限定を付加する補正事項を含むものである。
　そして、前記補正事項は、発明を特定するために必要な事項である、「写真画像データを所定の記憶媒体に保管」や「写真画像データを異なるバッファにそれぞれ格納」といった発明特定事項について限定を付加するものではなく、「注文情報を受付けて保存」という発明特定事項を追加するものである。
　また、前記補正事項は、特許法第１７条の２第４項第１号に掲げる「請求項の削除」、同３号に掲げる「誤記の訂正」、同４号に掲げる「明りようでない記載の釈明」のいずれをも目的とするものでもない。
　したがって、本件補正は、特許法第１７条の２第４項の規定に違反するものである。
　
（３）独立特許要件について
　上記補正が、特許法第１７条の２第４項第２号の特許請求の範囲の減縮を目的とするものに該当するとした場合について、本件補正後の前記請求項６に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（３−１）引用例及び周知例
　原査定の拒絶の理由に引用された特開平６−２２２４６５号公報（以下、「引用例１」という。）には、
「【産業上の利用分野】本発明は、ラインの写真プリンタに関するものである。」（段落【０００１】）、
　
「【課題を解決するための手段】上記目的を達成するために、請求項１記載の発明では、１件の写真フイルムから作られる各プリント写真のサイズ又は面種のプリント情報を入力する手段と、複数件の写真フイルムに記録された各画像を読み取って画像データに変換する画像読取り手段と、入力された複数の画像データをプリント情報に基づいてグループ分けし、各グループ毎に画像データを出力する画像編集手段と、プリントすべきグループに適合した感光材料をセットし、このグループに含まれた各画像データをプリントするラインプリント手段とを備えたものである。これによれば、画像編集部でプリント情報毎に画像データを編集し、各グループ毎に画像データを出力するため、撮影済みの写真フイルムを一々プリント情報毎に仕分ける手間を省くことができる。」（段落【０００５】）、
　
「【０００７】
【実施例】図１は、プリントサイズ又は面種に応じて画像データをグループ分けする実施例を示す。写真プリント時には、現像済みの長尺フイルム１０を巻き取った供給リール８と、この長尺フイルム１０のプリント情報や露光補正情報等を記憶したＬＳＩカード６とがセットされる。長尺フイルム１０は、同時プリントの受付け順に多数の写真フイルム、例えばネガフイルムをスプライステープで接合してから現像処理したものである。ＬＳＩカード６には、長尺フイルム１０の検定時に、プリントサイズや面種のプリント情報や画像（コマ）の露光補正情報が書き込まれる。このＬＳＩカード６に書き込まれたプリント情報は、ＬＳＩカード読取り部７を介して画像処理部１５及び画像編集部１６にそれぞれ送られる。なお、透明な磁気記録層を塗布した写真フイルムの場合には、撮影時又は現像処理時にプリント情報を磁気記録層に記録しておき、送りローラ対１１，１２の間に配置した磁気ヘッドでプリント情報を読み取るようにしてもよい。
【０００８】送りローラ対１２，１３の間に画像読取り位置がセットされており、長尺フイルム１０の各画像が光源１７で下方から照明される。また、長尺フイルム１０を挟んで光源１７の上方には、スリット板１８，レンズ１９及びＣＣＤラインセンサ２０からなる画像読取り部２１が設けられている。スリット板１８には長尺フイルム１０の幅方向に細長くスリット１８ａが形成されている。光源１７で照明された長尺フイルム１０の画像はスリット１８ａを通過して、レンズ１９により、ラインセンサ２０の素子面に結像される。
【０００９】ラインセンサ２０は、各素子面にＲ，Ｇ，Ｂの色フイルタが配置されたカラーラインセンサとされている。ラインセンサ２０は、フイルム送りに同期して長尺フイルム１０の各画像をライン毎に読み取り、得られた三色画像データを画像処理部１５に送る。なお、１個のカラーラインセンサを用いる代わりに、モノクロの３個のラインセンサにＲ，Ｇ，Ｂの色フイルタをそれぞれ配置した各色専用のラインセンサを用いてもよい。また、ラインセンサに代えてイメージエリアセンサを用いてもよく、この場合には、各画像を画像読取り位置に停止させた状態で画像を読み取る。
【００１０】画像処理部１５では、送られてきた画像データに露光補正情報に基づいて色補正及び濃度補正を行い、またプリント情報に基づいてサイズ変換の画像処理を行う。画像処理された画像データは、画像編集部１６に送られる。画像編集部１６は、複数の画像データを記憶する第１メモリ１６ａと、画像データをプリント情報毎にグループ編集し、このグループ毎に配列した画像データを書き込む第２メモリ１６ｂとから構成されている。この第２メモリ１６ｂからは、グループ毎に画像データが順番に取り出されてプリントプロセサ２３に送られる。また、プリントの前に、カラーペーパーの交換を指示するために、プリント情報が表示部２２に表示される。なお、プリントすべき各画像を表示部２２に表示し、その仕上がり状態を確認してもよい。
【００１１】プリントプロセサ２３は、ラインプリント部２４とプロセサ部２５とから構成されている。ラインプリント部２４は、レーザー光でカラーペーパー２６の幅方向に主走査するとともに、カラーペーパー２６を送りローラ対２７により送ることで副走査して、画像編集部１６からの画像データに基づき、再生した画像をカラーペーパー２６に焼付露光する。このカラーペーパー２６は、面種及びプリントサイズ毎の種類が用意されており、表示部２２の表示に従って交換される。焼付露光済みのカラーペーパー２６はそのままプロセサ部２５に送られ、送りローラ対２７と同じ送り速度で各処理槽内を通過されて現像処理される。現像処理済みのカラーペーパー２６は、周知のように各コマ毎に切断されて写真受け皿２８に排出される。
【００１２】図３は、ラインプリント部２４を示す概略図である。画像編集部１６では、第２メモリ１６ｂに記憶された画像データを読み出し、一旦フレームメモリ１６ｃに記憶され、プリンタ用インターフェイスを介して、ラインプリント部２４へ送られる。ラインプリント部２４は、Ｈｅ−Ｎｅレーザー３０，Ｈｅ−Ｃｄレーザー３１，Ａｒレーザー３２を備えている。各レーザー３０〜３２からのレーザービームは、各光変調器３３，３４，３５により画像編集部１６からの画像データに基づき変調される。なお、符号３６はビームスプリッタであり、レーザービームの強度を基準値に合わせる際に、レーザービームの一部を各光変調器３３〜３５にフィードバックする。
【００１３】画像データに基づいて変調された各レーザービームは、ミラー３７，ダイクロイックミラー３８，３９により１本のビームにされ、これが周知のコリメート光学系により平行光に直された後に、シリンドリカルレンズ４０を経て、ポリゴンミラー４１に導かれる。ポリゴンミラー４１はモータ４２により高速回転され、この回転によりカラーペーパー２６の幅方向にレーザービームが振られ、ポリゴンミラー４１の１面につき１回の主走査が行われる。ｆθレンズ４３及びシリンドリカルレンズ４４からなる結像光学系は、ポリゴンミラー４１により偏向されたレーザービームをカラーペーパー２６上で絞り込み、感光密度に応じたビーム径となるようにしている。
【００１４】ペーパー送りローラ対４５は、レーザービームの主走査に同期させてカラーペーパー２６を副走査方向に送る。ペーパー送りローラ対４５は、モータ４６により回転される。各モータ４２，４６はドライバ４７，４８を介し、コントローラ４９により回転制御される。コントローラ４９は、画像編集部１６からの同期信号に基づき各モータ４２，４６を回転制御する。このフイルム送りによる副走査とレーザービームの主走査により、カラーペーパー２６に、画像を焼付露光する。また、ラインプリント部２４は画像の焼付露光の他に、カラーペーパー２６に記録された各コマとコマとの間の余白部にカットマークを焼付露光する。このカットマークに基づき、プロセサ部２５ではペーパーの乾燥後にカッタにより、カラーペーパー２６を各コマ毎に切断する。
【００１５】図３は、画像編集部１６でのメモリ上での編集の一例を示す説明図である。長尺フイルムの殆どは、件数毎にプリントサイズを指定すればよいが、パノラマ途中切替え可能なカメラ等で撮影されたものついては、画像毎にプリントサイズの情報を指定する。また、面種については件数毎に指定される。この実施例ではプリントサイズとしてサービスサイズ，Ｌサイズ、パノラマサイズの３つ、また面種としては光沢面，絹面の２つをそれぞれ用いている。
【００１６】上記構成の作用を説明する。現像所では、同時プリントを依頼されると、仕分けすることなく、受付け順に露光済み写真フイルムをスプライステープで接合する。この接合後にシネタイプの現像機で長尺フイルム１０を現像処理してから、供給リール１２に巻き取る。次に、この長尺フイルム１０をフイルム検定機にセットし、１コマづつ検定しながら、露光補正量を入力する。このフイルム検定において、顧客から指定されたプリントサイズや面種のプリント情報をキーボードで入力する。このプリント情報や露光補正量の情報は、ＬＳＩカード６に書き込まれる。
【００１７】供給リール８に巻かれた長尺フイルム１０と、ＬＳＩカード６とを写真プリンタにセットする。キーボード１４を操作して画像読み取りを指示すれば、送りローラ対１１，１２，１３が長尺フイルム１０をスリット板１８に向けて搬送する。このとき、光源１７が点灯され、スリットを通過するコマの画像がＣＣＤラインセンサ２０でライン毎に読み取られる。画像読取り部２１の読み取りはフイルム送りに同期して行われ、取り込んだ三色の画像データを画像処理部１５に送る。ＬＳＩカード読取り部７は、ＬＳＩカード６からプリント情報や露光補正情報を読み取る。
【００１８】画像処理部１５では、露光補正情報に基づいて画像データに色補正や濃度補正を行い、プリント情報に応じてサイズ変換等の画像処理を行う。画像編集部１６は、画像処理済みの画像データを第１メモリ１６ａに一旦記憶する。長尺フイルム１０内の全ての画像を読み取った後に、プリント情報に応じて第１メモリ１６ａの画像データをグループ毎に編集し、編集した画像データを第２メモリ１６ｂにグループ順に書き込む。図３に示す例では、光沢面且つサービスサイズ、光沢面且つＬサイズ、絹面且つサービスサイズ、光沢面且つパノラマサイズとからなる４つのグループに配列されている。
【００１９】次に、画像編集部１６は、表示部２２に、例えば「光沢面及びサービスサイズ用のカラーペパー２４に交換してください。」等のメッセージを表示する。オペレーターは、このメッセージに従ってカラーペーパー２６の交換を行った後にキーボード１４でプリント開始の操作を行う。
【００２０】プリント開始が指示されると、光沢面且つサービスサイズのグループに含まれた画像データのうち第１番目のものが、第２メモリ１６ｂから読み出され、フレームメモリ１６ｃに送られる。このフレームメモリ１６ｃから読み出した画像データは、プリンタ用インターフェイスを介して、ラインプリント部２４に送られる。ラインプリント部２４は、レーザー光でカラーペーパー２６の幅方向に主走査するとともに、ローラ対２７でカラーペーパー２６を副走査方向に送り、カラーペーパー２６に第１番目の画像を焼付露光する。以下、同様にして光沢面且つサービスサイズにグループ化された各画像データのプリントが行われる。このグループに含まれた全ての画像データのプリントが終了すると、画像編集部１６は、表示部２２にＬサイズ用のカラーペーパーの交換を示す表示を行う。
【００２１】カーラーペーパーの交換後に、キーボード１４でプリント開始を指示すれば、前述したように、Ｌサイズで光沢面のグループがプリントされる。このように、表示部２２の表示に従ってペーパー交換しながら、プリント作業を行えば、各グループの画像データが順次にプリントされる。なお、予めグループ毎の記録順番をキーボード１４から入力しておいてもよい。」（段落【０００７】〜【００２１】）、
との記載が認められ、これらの記載によれば、引用例１には、
「同時プリントの受付け順に接合した長尺フイルム１０を現像処理してから供給リール８に巻き取り、次に、この長尺フイルム１０のフイルム検定において、顧客から指定されたプリントサイズや面種のプリント情報をキーボードで入力し、ＬＳＩカード６に書き込み、次に、長尺フイルム１０の各画像を読み取り、得られた三色画像データを画像処理部１５に送り、画像処理部１５では、プリント情報に基づいてサイズ変換の画像処理を行い、画像処理された画像データを画像編集部１６の複数の画像データを記憶する第１メモリ１６ａに一旦記憶し、第１メモリ１６ａの画像データをプリント情報に基づいてグループ分けし、グループ毎に編集した画像データを第２メモリ１６ｂにグループ順に書き込み、この第２メモリ１６ｂからは、グループ毎に画像データが順番に取り出されてプリントプロセサ２３に出力することを特徴とする画像データの出力方法。」
との発明（以下、「引用例１発明」という。）が開示されていると認めることができる。
　
（３−２）対比・判断
　そこで、本願補正発明と引用例１発明とを比較すると、引用例１発明の「画像データ」は、本願補正発明の「写真画像データ」及び「写真データ」に相当し、以下同様に、「第１メモリ１６ａ」は「記憶媒体」に、「プリントサイズや面種のプリント情報」は「写真データの出力処理に関する複数の処理項目を指定する注文情報」に、「プリント情報に基づいてグループ分け」は「タスクの種類によって分類」に、「第２メモリ１６ｂ」は「バッファ」に、それぞれ相当し、また、本願補正発明の「記録媒体」は引用例１発明の「長尺フイルム１０」の上位概念であるので、引用例１発明の「長尺フイルム１０」は、本願補正発明の「記録媒体」に一致し、また、引用例１発明の「同時プリントの受付け順」と編集した画像データの「グループ順」とは、順序が異なることは自明であるから、引用例１発明の「第２メモリ１６ｂからは、グループ毎に画像データが順番に取り出されて」は、本願補正発明の「注文情報を受け付けた順序とは異なる順序で写真画像データを出力する」に相当する。さらに、本願の発明の詳細な説明の段落【００２４】の「受付方法としては、オペレータが注文情報をキーボードなどから直接入力する方法」との記載からも明らかなように、引用例１発明の「プリント情報をキーボードで入力」が、本願補正発明の「注文情報を受付けて」に相当することは自明であるから、両者は、
「写真画像を表す複数の写真画像データを記録媒体から読み取って所定の記憶媒体に保管し、
　記録媒体に記録された写真データの出力処理に関する複数の処理項目を指定する注文情報であって入力される注文情報を受付けて保存し、
　前記保管された写真画像データについて前記保存されている注文情報の中で指定された出力処理に関する複数の処理項目を、該各処理項目により示された処理を行うタスクの種類によって分類するとともに、該分類の際に、前記各処理項目において指定された写真画像データをバッファに格納し、
　前記分類ごとに決定されたタイミングで、バッファに格納された写真画像データに対し前記各処理項目により示された処理を行うことにより注文情報を受け付けた順序とは異なる順序で写真画像データを出力することを特徴とする写真画像データの出力方法。」
の点で一致し、以下の点で相違している。
　
［相違点１］
　記録媒体に関して、本願補正発明は、「複数種類」であるのに対して、引用例１発明は、かかる限定が付されていない点。
　
［相違点２］
　注文情報が、本願補正発明は、「記録媒体の種類に応じた形式で入力される注文情報を、記録媒体ごとに受付けて保存し、」であるのに対し、引用例１発明は、かかる限定が付されていない点。
　
［相違点３］
　バッファに関して、本願補正発明は、「分類ごとに異なるバッファ」であるのに対し、引用例１発明は、かかる限定が付されていない点。
　
　次に相違点について検討する。
［相違点１］について
　引用例１発明と同種のネガフィルムに関してプリント注文の受付を行うものにおいて、電子スチールカメラで記録したものについてのプリント注文にも利用できる構成とすることは、周知（例えば、特開平７−３３３８１４号公報、段落【００７９】を参照）であるから、相違点１に係る本願補正発明の構成は、引用例１発明に従来周知の技術を適用することにより、当業者が容易に想到しえたものというべきである。
　
［相違点２］について
　［相違点１］について、で検討したように、プリント注文の受付をネガフィルム及び電子スチールカメラで記録したものについて行うことが周知であることを勘案すると、記録媒体が複数種類である場合において、注文情報を記録媒体の種類に応じた形式とし、さらに、該注文情報を記録媒体ごとに受付けて保存する程度のことは、当業者が設計に際して適宜決定できるものと認められるから、相違点２に係る本願補正発明の構成は、引用例１発明及び周知技術に基づいて、当業者が容易に想到しえたものである。
　
［相違点３］について
　印刷製版用の電子編集システムにおけるものではあるが、プリント制御部において、プリント画像データが複数のプリンタの各々に備えられた出力処理同期用バッファに出力することが周知（例えば、特開平８−１１１７７９号公報、段落【００１６】を参照）である。そして、この周知技術を引用例１発明に適用することは、格別困難であるとは認められない。そうすると、相違点３に係る本願補正発明の構成は、引用例１発明に従来周知の技術を適用することにより、当業者が容易に想到しえたものというべきである。
　
　そして、本願補正発明の作用効果も、引用例１及び周知技術から当業者が予測できる範囲のものである。
　したがって、本願補正発明は、引用例１に記載された発明及び周知技術に基づいて、当業者が容易に発明をすることができたものであるから、特許法第２９条第２項の規定により特許出願の際独立して特許を受けることができないものである。
　
（３−３）むすび
　以上（２）、（３）で検討したとおり、本件補正は、特許法第１７条の２第４項、あるいは特許法第１７条の２第５項の規定により準用する特許法第１２６条第５項の規定に違反してなされたものであり、特許法第１５９条第１項の規定により読み替えて準用する特許法第５３条第１項の規定により却下すべきものである。
　
３．本願発明について
　平成１７年１２月２７日付けの手続補正は上記のとおり却下されたので、本願の請求項６に係る発明（以下、同項記載の発明を「本願発明」という。）は、平成１７年２月１４日付け手続補正書の特許請求の範囲の請求項６に記載された事項により特定される、以下のとおりのものである。
　「写真画像を表す複数の写真画像データを所定の記憶媒体に保管し、
　該保管された写真画像データについて指定された出力処理に関する複数の処理項目を、該各処理項目により示された処理を行うタスクの種類によって分類するとともに、該分類の際に、前記各処理項目において指定された写真画像データを前記分類ごとに異なるバッファにそれぞれ格納し、
　前記分類ごとに決定されたタイミングで、各バッファに格納された写真画像データに対し前記各処理項目により示された処理を行うことを特徴とする写真画像データの出力方法。」
　
（１）引用例
　原査定の拒絶の理由に引用された引用例、および、その記載事項は、前記「２．（３−１）」に記載したとおりである。
　
（２）対比・判断
　本願発明は、前記２．で検討した本願補正発明から、「複数種類の記録媒体から記録媒体ごとに読み取って」、「記録媒体に記録された写真データの出力処理に関する複数の処理項目を指定する注文情報であって前記記録媒体の種類に応じた形式で入力される注文情報を、記録媒体ごとに受付けて保存し、」、「保存されている注文情報の中で」、「ことにより注文情報を受け付けた順序とは異なる順序で写真画像データを出力する」との構成を省いたものである。
　そうすると、本願発明の構成要件を全て含み、さらに他の構成要件を付加したものに相当する本願補正発明が、前記「２．（３）」に記載したとおり、引用例１に記載された発明及び周知技術に基づいて、当業者が容易に発明をすることができたものであるから、本願発明も、同様の理由により、引用例１に記載された発明及び周知技術に基づいて、当業者が容易に発明をすることができたものである。
　
（３）むすび
　以上のとおり、本願発明は、引用例１に記載された発明及び周知技術に基づいて、当業者が容易に発明をすることができたものであるから、特許法第２９条第２項の規定により特許を受けることができない。
　よって、結論のとおり審決する。